(57)【特許請求の範囲】
【請求項１】
移動式クレーンにオプション装置を取り付けるための左右１対の横板を所要間隔を隔てて設けると共に、該左右の横板上におけるオプション装置装着位置の前後両側位置にピン孔を備えたオプション装置取付プレートをそれぞれ設け、更に、下端部の左右両側位置に上記移動式クレーンの左右の横板上における上記前後のオプション装置取付プレートの間の位置に載置するための突出部を有すると共に、下面の左右両端縁部に上記左右の横板の内側端部に係止させるための係止片を有してなる代替ウェイトと、上記移動式クレーンの左右の横板上における前後のオプション装置取付プレートの間に載置する上記代替ウェイトの左右の突出部の上方に前後方向に延びるよう配置した状態で、前後の両端部を上記前後のオプション装置取付プレートに連結するためのハネ止め部材とを備えてなる構成を有することを特徴とする移動式クレーンのオプション装置代替ウェイト取付装置。
【請求項２】
ハネ止め部材を、前後の両端部に設けたピン孔をオプション装置取付プレートのピン孔にリンク固定用ピンを介して連結するハネ止めリンクとした請求項１記載の移動式クレーンのオプション装置代替ウェイト取付装置。
【請求項３】
オプション装置取付プレートとハネ止めリンクの前後両端部を連結するピンの脱落を防止するためのピン脱落防止機構を備えるようにした請求項１又は２記載の移動式クレーンのオプション装置代替ウェイト取付装置。
【発明の詳細な説明】
【技術分野】
【０００１】
本発明は、移動式クレーンにてオプションウインチ等のオプション装置を装着しない場合に該オプション装置の取付位置に代替ウェイトを取り付けるために用いる移動式クレーンのオプション装置代替ウェイト取付装置に関するものである。
【背景技術】
【０００２】
従来、移動式クレーンとして、たとえば、図６に示す如く、クローラにて走行するようにしてある下部走行体１と、ブーム３を備えた上部旋回体２とからなる自走式のクローラクレーンにおいては、その販売時に、一部のウインチや発電機をオプション装置として、該オプション装置を上部旋回体２に装着（装備）する否かを、需要者（購入者）が適宜選択できるようにすることがある。
【０００３】
ところで、クローラクレーンでは、万一の転倒を未然に防止するために安定モーメントを確保することが重要である。したがって、上記したように上部旋回体２にオプション装置を装着する場合、及び、オプション装置を装着しない場合のいずれの場合においても十分な安定モーメントを確保できるようにする必要がある。
【０００４】
このように、上記クローラクレーンにてオプション装置の装着、非装着にかかわらず十分な安定モーメントを確保できるようにするための手段としては、上部旋回体２における所定のオプション装置装着位置にオプション装置を装着する状態のときにクローラクレーン全体で所望する安定モーメントが確保できるように該クローラクレーンの設計を行っておき、オプション装置の装着を必要としない場合には、該オプション装置と同様の重量を有する代替ウェイトを、上記オプション装置の装着位置と同じ位置に取り付けるようにする手法が考えられてきている。
【０００５】
具体的には、図７（イ）に示す如く、上記図６に示した如きクローラクレーンの上部旋回体２上に、オプション装置装着部としての左右１対の補助ウインチ取付部４を立設すると共に、該左右の補助ウインチ取付部４の上端部のフランジ部（横板）における補助ウインチ装着位置と対応する所要位置に、図示しない取付け穴が設けてある。更に、該取付け穴に、油圧モータ６とドラム７とその回転軸の両端を支持する左右１対の軸受ブロック８とからなるオプション装置としての補助ウインチ５における上記軸受ブロック８を、ボルト９を介して取り付けることができるようにした構成としてある。
【０００６】
一方、図７（ロ）に示す如く、上記補助ウインチ５とほぼ同一の重量を有するウェイト本体１１と、ボルト９を挿通させるためのボルト孔（図示せず）を設けてなる取り付け板１２とからなる代替ウェイト（ダミーウェイト）１０を構成して、クローラクレーンに上記補助ウインチ５の装着を必要としない場合には、補助ウインチ取付け部４における上記補助ウインチ５の装着位置と同じ位置に上記代替ウェイト１０を配置すると共に、上記取り付け板１２を、上記補助ウインチ取付部４に設けてある補助ウインチ取付用の図示しない取付け穴、又は、該補助ウインチ取付用の取付け穴とは別に補助ウインチ取付部４に予め設けておいた図示しない取付け穴に、ボルト９を介して取り付けるようにしてある。これにより、クローラクレーンにオプション装置としての補助ウインチ５を装着しない場合であっても、該クローラクレーンにおける上記補助ウインチ５の装着位置と同じ位置に、該補助ウインチ５とほぼ同一の重量としてある上記代替ウェイト１０の重量を作用させることで、該オプション装置としての補助ウインチ５を装着しない状態のクローラクレーンにおいても、補助ウインチ５を装着してなる状態と同様の安定モーメントを得ることができるとされている（たとえば、特許文献１参照）。
【０００７】
【特許文献１】特許第３１１３７８９号公報
【発明の開示】
【発明が解決しようとする課題】
【０００８】
ところが、上記特許文献１に示された手法では、クローラクレーンの補助ウインチ取付部４にオプション装置としての補助ウインチ５の替わりとして代替ウェイト１０を取り付けるためには、上記代替ウェイト１０を、補助ウインチ取付部４の上方に吊った状態で、該代替ウェイト１０の取り付け板１２に設けてある図示しないボルト孔の位置を、補助ウインチ取付部４に設けてある図示しない取付け穴の位置に一致させるための位置合わせを行った後、ボルト９で取付け作業を行う必要がある。
【０００９】
そこで、本発明は、移動式クレーンにオプション装置を装着しない場合に上部旋回体のオプション装置装着位置へオプション装置の替わりとして代替ウェイトを取り付ける際に、該代替ウェイトの位置合わせを容易に行うことができて、オプション装置装着位置に対する該代替ウェイトの取付作業の手間を軽減することが可能な移動式クレーンのオプション装置代替ウェイト取付装置を提供しようとするものである。
【課題を解決するための手段】
【００１０】
本発明は、上記課題を解決するために、請求項１に対応して、移動式クレーンにオプション装置を取り付けるための左右１対の横板を所要間隔を隔てて設けると共に、該左右の横板上におけるオプション装置装着位置の前後両側位置にピン孔を備えたオプション装置取付プレートをそれぞれ設け、更に、下端部の左右両側位置に上記移動式クレーンの左右の横板上における上記前後のオプション装置取付プレートの間の位置に載置するための突出部を有すると共に、下面の左右両端縁部に上記左右の横板の内側端部に係止させるための係止片を有してなる代替ウェイトと、上記移動式クレーンの左右の横板上における前後のオプション装置取付プレートの間に載置する上記代替ウェイトの左右の突出部の上方に前後方向に延びるよう配置した状態で、前後の両端部を上記前後のオプション装置取付プレートに連結するためのハネ止め部材とを備えてなる構成とする。
【００１１】
又、上記構成において、ハネ止め部材を、前後の両端部に設けたピン孔をオプション装置取付プレートのピン孔にリンク固定用ピンを介して連結するハネ止めリンクとした構成とする。
【００１２】
更に、上記各構成において、オプション装置取付プレートとハネ止めリンクの前後両端部を連結するピンの脱落を防止するためのピン脱落防止機構を備えるようにした構成とする。
【発明の効果】
【００１３】
本発明の移動式クレーンのオプション装置代替ウェイト取付装置によれば、以下のような優れた効果を発揮する。  
（１）移動式クレーンにオプション装置を取り付けるための左右１対の横板を所要間隔を隔てて設けると共に、該左右の横板上におけるオプション装置装着位置の前後両側位置にピン孔を備えたオプション装置取付プレートをそれぞれ設け、更に、下端部の左右両側位置に上記移動式クレーンの左右の横板上における上記前後のオプション装置取付プレートの間の位置に載置するための突出部を有すると共に、下面の左右両端縁部に上記左右の横板の内側端部に係止させるための係止片を有してなる代替ウェイトと、上記移動式クレーンの左右の横板上における前後のオプション装置取付プレートの間に載置する上記代替ウェイトの左右の突出部の上方に前後方向に延びるよう配置した状態で、前後の両端部を上記前後のオプション装置取付プレートに連結するためのハネ止め部材とを備えてなる構成としてあるので、上記移動式クレーンに設けた左右１対の横板上におけるオプション装置装着個所に、代替ウェイトを載置する際、該代替ウェイトの左右の突出部が上記左右の横板上に前後に配設されている各オプション装置取付プレートの間に配置すると共に、該代替ウェイトの下面の係止片が上記左右の横板の間に挿入されるように配置すると、上記代替ウェイトを、オプションウインチ装着位置に、前後左右方向への移動を防いだ状態で配置することができる。したがって、上記オプションウインチ装着位置に配置した代替ウェイトの左右の突出部の上方にて前後方向に延びるよう配置したハネ止め部材の前後両端部を、上記左右の各横板上に設けた前後のオプション装置取付プレートに連結することで、上記代替ウェイトの前後、左右、上下への変位を拘束して該代替ウェイトのオプション装置装着位置への取付を行うことができる。しかも、該代替ウェイトは、上記移動式クレーンに設けた左右１対の横板上には直接連結しないため、代替ウェイトの取付作業の際に該代替ウェイトの厳密な位置決め作業を不要にできる。よって、代替ウェイトのオプションウインチ装着位置への取付作業を容易なものとすることができる。  
（２）ハネ止め部材を、前後の両端部に設けたピン孔をオプション装置取付プレートのピン孔にリンク固定用ピンを介して連結するハネ止めリンクとした構成とすることにより、ハネ止め部材のオプション装置取付プレートへの連結作業を容易なものとすることができる。  
（３）オプション装置取付プレートとハネ止めリンクの前後両端部を連結するピンの脱落を防止するためのピン脱落防止機構を備えるようにした構成とすることにより、移動式クレーンの使用中に生じる振動等によって上記ハネ止めリンクが脱落する虞を未然に防止することができる。
【発明を実施するための最良の形態】
【００１４】
以下、本発明を実施するための最良の形態を図面を参照して説明する。
【００１５】
図１乃至図５は本発明の移動式クレーンのオプション装置代替ウェイト取付装置の実施の一形態として図６に示したと同様のクローラクレーンに適用する場合を示すもので、クローラクレーンの上部旋回体２に、オプション装置としてのオプションウインチの装着を行うための左右１対の横板１３ａ，１３ｂを、左右方向に所要間隔を隔てて設ける。該左右の横板１３ａ，１３ｂ上におけるオプションウインチ装着位置の前後両側には、図示しないオプションウインチの左右の軸受ブロックの前後両端部をそれぞれピンを介して連結するためのオプション装置取付プレート１４ａ，１４ｂ，１４ｃ，１４ｄを設ける。
【００１６】
又、上部旋回体２におけるオプションウインチ装着位置に上記図示しないオプションウインチの替わりに取り付けるための代替ウェイト１５は、上記図示しないオプションウインチとほぼ同様の重量を備えている。且つ該代替ウェイト１５の下端部の左右両側には、上記上部旋回体２の左右の各横板１３ａ及び１３ｂ上における前後に配列されたオプション装置取付プレート１４ａと１４ｂの間の個所、及び、１４ｃと１４ｄの間の個所にそれぞれ載置するための水平方向へ突出する左右の突出部１６を設けると共に、該代替ウェイト１５の下面の左右両端縁部に、上記左右の横板１３ａ及び１３ｂの内側端部に近接させた状態で該左右の横板１３ａと１３ｂ同士の間へ挿入するための左右１対の係止片１７を下向きに突出させて設ける。
【００１７】
更に、ハネ止め部材として、所要の長さを有し且つ両端部にピン孔１９を穿設してなる１対のハネ止めリンク１８を用い、該各ハネ止めリンク１８を、上記上部旋回体２の左右の各横板１３ａ及び１３ｂ上における前後に配列されたオプション装置取付プレート１４ａと１４ｂの間、及び、１４ｃと１４ｄの間の個所にそれぞれ載置した上記代替ウェイト１５の左右の突出部１６の上方から上記前後のオプション装置取付プレート１４ａと１４ｂの間、及び、１４ｃと１４ｄの間に横板１３ａ，１３ｂと平行となるように配置すると共に、該各ハネ止めリンク１８の前後両端部を、それぞれ対応するオプション装置取付プレート１４ａ，１４ｂ，１４ｃ，１４ｄに、リンク固定用ピン２０を介してそれぞれ連結できる構成とする。
【００１８】
詳述すると、クローラクレーンにおける上部旋回体２を、前後方向に延びる２本の縦通材２２を左右方向に所要間隔を隔てて平行に配置すると共に該各縦通材２１における長手方向所要間隔の複数個所同士を左右方向に延びる連結部材２３で連結してなる旋回フレーム２１を有してなる構成とし、上記左右の各縦通材２２の上端部に、たとえば、フランジ状に左右の横板１３ａ及び１３ｂが設けてある構成とする。
【００１９】
上記横板１３ａ及び１３ｂの上面には、図示しないオプションウインチを装着すべき位置の前側位置と後側位置に、左右水平方向のピン孔２４を穿設してなるオプション装置取付プレート１４ａと１４ｂ及び１４ｃと１４ｄがそれぞれ立設してある。これにより、上記図示しないオプションウインチのドラムを、上記左右の横板１３ａと１３ｂの内側に配置させると共に、該ドラムの回転軸の両端部を支持する左右の支持ブロックの前後両端部にそれぞれ穿設してある左右水平方向のピン孔を、上記左右の横板１３ａ及び１３ｂ上に設けてある上記各オプション装置取付プレート１４ａと１４ｂ及び１４ｃと１４ｄのピン孔２４に、それぞれ図示しない固定用ピンを介して固定することで、上記旋回フレーム１３の左右の横板１３ａ，１３ｂ上における所定のオプションウインチ装着位置に、上記図示しないオプションウインチを取り付けることができるようにしてある。
【００２０】
上記代替ウェイト１５は、上記旋回フレーム２１の一方の横板１３ａに設けてある前後の各オプション装置取付プレート１４ａ及び１４ｂと、他方の横板１３ｂに設けてある前後の各オプション装置取付プレート１４ｃ及び１４ｄとの間に配置できるサイズのウェイト本体２５と、該ウェイト本体２５の下端に取り付けた平板状の下面プレート２６とを備えてなる構成としてある。上記下面プレート２６の左右両端部には、図４に示す如く、上記左右の横板１３ａ及び１３ｂ上にてそれぞれ前後に配設されている各オプション装置取付プレート１４ａと１４ｂの間隔、及び、各オプション取付プレート１４ｃと１４ｄの間隔よりもやや狭い前後幅寸法で左右水平方向へ所要寸法突出する舌状の突出部１６がそれぞれ設けてある。更に、上記下面プレート２６の下面における左右両端縁部にて、上記旋回フレーム２１の左右の横板１３ａ，１３ｂの内側端部と対応する位置よりもやや中央寄りとなる位置に、所要の高さ寸法、たとえば、上記各横板１３ａ，１３ｂの厚み寸法と同様の高さ寸法を有し且つ前後方向に延びる垂直板状の係止片１７の上端部を、それぞれ取り付けた構成としてある。これにより、上記代替ウェイト１５の下面プレート２６の左右両端部の突出部１６を、上記旋回フレーム２１の各横板１３ａ及び１３ｂ上における前後の各オプション装置取付プレート１７ａと１７ｂとの間、及び、１７ｃと１７ｄとの間に載置すると共に、上記下面プレート２６の下面の左右の各係止片１７を、上記左右の各横板１３ａ，１３ｂの間に挿入することで、上記代替ウェイト１５を、上記旋回フレーム２１の左右の各横板１３ａ，１３ｂ上における上記図示しないオプションウインチの装着位置と同じ位置に配置できるようにしてある。更に、上記オプションウインチ装着位置に配置された状態の上記代替ウェイト１５では、下面プレート２６の左右の突出部１６の前後方向への変位が、上記左右の横板１３ａ及び１３ｂ上に設けてある前後の各オプション装置取付プレート１４ａと１４ｂ及び１４ｃと１４ｄによって拘束されると共に、上記下面プレート２６の下面の左右の各係止片１７の左右方向への変位が、上記左右の横板１３ａ及び１３ｂの内側端部で拘束されることから、上記オプションウインチ装着位置に配置された該代替ウェイト１５の前後左右方向への変位を阻止することができるようにしてある。
【００２１】
なお、上記旋回フレーム２１の各横板１３ａ及び１３ｂ上におけるオプションウインチ装着位置の前側に設けてある各オプション装置取付プレート１７ａ及び１７ｃの後端縁部と、オプションウインチ装着位置の後側に設けてある各オプション装置取付プレート１７ｃと１７ｄの前端縁部のいずれか一方又は双方に、上端側よりも下端側がオプションウインチ装着位置寄りとなるような傾斜を設けることが好ましい。図３ではオプション装置取付プレート１７ａと１７ｃの後端縁部にのみ上記傾斜を設けた状態が示してある。
【００２２】
上記ハネ止めリンク１８は、その長手方向の両端部にフォーク部１８ａを設けると共に、該フォーク部１８ａに、水平方向に貫通するピン孔１９を穿設してなる構成として、該フォーク部１８ａの内側にオプション装置取付プレート１４ａ，１４ｂ，１４ｃ，１４ｄを嵌合させた状態にて、フォーク部１８ａのピン孔１９と、上記オプション装置取付プレート１４ａ，１４ｂ，１４ｃ，１４ｄのピン孔２４に、リンク固定用ピン２０を挿通させることで、該ハネ止めリンク１８の両端部を、上記オプション装置取付プレート１４ａ，１４ｂ，１４ｃ，１４ｄに固定できるようにしてある。又、上記ハネ止めリンク１８の長手方向中間部における下端縁部には、上記代替ウェイト１５の下面プレート２６の左右の突出部１６の側面形状に応じた凹部１８ｂを設けるようにしてある。
【００２３】
更に、上記ハネ止めリンク１８のフォーク部１８ａと各オプション装置取付プレート１４ａ，１４ｂ，１４ｃ，１４ｄとの連結に用いるリンク固定用ピン２０が、クローラクレーンの使用中に生じる振動等によって脱落する虞を未然に防止するために、ピン脱落防止機構を備えるようにしてもよい。該ピン脱落防止機構の具体的な構成としては、たとえば、図５に示す如く、上記リンク固定用ピン２０の一端部の外周面にキー溝２０ａを設け、上記ハネ止めリンク１８のフォーク部１８ａのピン孔１９と、上記オプション装置取付プレート１４ａ，１４ｂ，１４ｃ，１４ｄのピン孔２４にリンク固定用ピン２０を挿通配置した状態にて、該リンク固定用ピン２０のキー溝２０ａに、上方からピン固定用キープレート２７を嵌合させると共に、該ピン固定用キープレート２７を、上記ハネ止めリンク１８のフォーク部１８ａの側面にボルト２８を介して固定してなる構成とすればよい。
【００２４】
２９は上記代替ウェイト１５の頂部の所要個所に設けた吊具である。又、３０は上記係止片１７における長手方向所要個所、たとえば、長手方向両端部に左右水平方向に穿設したねじ孔であり、該ねじ孔３０に代替ウェイト１５の中央側から螺着させた図示しないボルトを、該ボルトの先端部が左右の横板１３ａ，１３ｂの内側端面に押し付けられるように上記ねじ孔３０へねじ込むことで、該代替ウェイト１５を、上記左右の横板１３ａと１３ｂの間に固定できるようにしてもよい。
【００２５】
以上の構成としてある移動式クレーンのオプション装置代替ウェイト取付装置を使用して、クローラクレーンの上部旋回体２に、オプションウインチに代えて代替ウェイト１５を取り付ける場合は、先ず、代替ウェイト１５を、上記上部旋回体２の旋回フレーム２１における左右の横板１３ａ，１３ｂ上に設けてあるオプション装置取付プレート１４ａ，１４ｂ，１４ｃ，１４ｄの上方へ吊り上げた状態から、該代替ウェイト１５の下面プレート２６の左右の突出部１６が、上記左右の横板１３ａ及び１３ｂにて前後に配設されている各オプション装置取付プレート１４ａと１４ｂの間、及び、各オプション装置取付プレート１４ｃと１４ｄの間に配置されるようにすると共に、上記代替ウェイト１５の下面プレート２６の下面に設けてある左右の係止片１７が、上記左右の横板１３ａと１３ｂの間に挿入されるように該代替ウェイト１５を吊り下ろして、上記左右の突出部１６を、上記左右の横板１３ａ及び１３ｂにおける各オプション装置取付プレート１４ａと１４ｂの間、及び、各オプション装置取付プレート１４ｃと１４ｄの間に載置させると、上記代替ウェイト１５が、上記オプションウインチの装着位置と同じ位置に、前後左右方向への変位が拘束された状態で配置されるようになる。
【００２６】
上記のようにして上記代替ウェイト１５をオプションウインチ装着位置に配置した後は、上記各ハネ止めリンク１８を、上記代替ウェイト１５の左右の突出部１６の上方から、上記左右の横板１３ａ及び１３ｂ上の前後のオプション装置取付プレート１４ａと１４ｂの間、及び、１４ｃと１４ｄの間に配置して、該各ハネ止めリンク１８の前後両端部のフォーク部１８ａを、それぞれ対応するオプション装置取付プレート１４ａ，１４ｂ，１４ｃ，１４ｄに嵌合させた状態にて、それぞれのピン孔１９と２４にリンク固定用ピン２０を挿通させると、上記代替ウェイト１５の左右の突出部１６の上側に配置された上記ハネ止めリンク１８の長手方向の両端部が、対応するオプション装置取付プレート１４ａ，１４ｂ，１４ｃ，１４ｄに連結されて該各ハネ止めリンク１８の位置が固定されることから、上記左右の突出部１６の上下方向への変位を阻止できて、上記オプションウインチ装着位置に配置されている代替ウェイト１５の上下方向の変位も拘束することができるようになる。以上により上記クローラクレーンの上部旋回体２におけるオプションウインチ装着位置に、上記代替ウェイト１５が取り付けられる。
【００２７】
その後、上記各リンク固定用ピン２０のキー溝２０ａに、ピン固定用キープレート２７をそれぞれ嵌合させた後、該各ピン固定用キープレート２７を、各リンク固定用ピン２０のフォーク部１８ａの側面に、ボルト２８を介して固定するようにすれば、該各リンク固定用ピン２０の脱落が未然に防止されるため、上記代替ウェイト１５の上記上部旋回体２におけるオプションウインチ装着位置からの予期しない脱離がより確実に防止されるようになる。
【００２８】
このように、本発明の移動式クレーンのオプション装置代替ウェイト取付装置によれば、代替ウェイト１５を、上部旋回体２の旋回フレーム２１における左右の横板１３ａ，１３ｂ上の各オプション装置取付プレート１４ａ，１４ｂ，１４ｃ，１４ｄの上方へ一旦吊り上げた状態から、該代替ウェイト１５の下面プレート２６の左右の突出部１６が、上記左右の横板１３ａ及び１３ｂ上にて前後に配設されている各オプション装置取付プレート１４ａと１４ｂの間、及び、各オプション装置取付プレート１４ｃと１４ｄの間に位置するようにすると共に、上記下面プレート２６の下面に設けてある左右の係止片１７が、上記左右の横板１３ａと１３ｂの間に挿入されるようにしながら該代替ウェイト１５を、上記左右の横板１３ａ，１３ｂ上へ吊り下ろすのみで、該代替ウェイト１５を、オプションウインチ装着位置に、前後左右方向への移動を防いだ状態で配置することができる。
【００２９】
更に、上記オプションウインチ装着位置に配置した代替ウェイト１５の固定は、上記左右の各横板１３ａ，１３ｂに対して直接行うのではなく、該左右の横板１３ａ，１３ｂ上に設けた前後のオプション装置取付プレート１４ａと１４ｂの間、及び、１４ｃと１４ｄの間にそれぞれ取り付ける各ハネ止めリンク１８によって、該代替ウェイト１５の左右の突出部１６を上方から拘束することで行うようにしてあるため、図７（ロ）に示した如き従来の代替ウェイト１０の取付作業の際に要していた如き代替ウェイト１０の厳密な位置決め作業を不要にできる。よって、代替ウェイト１５のオプションウインチ装着位置への取付作業を容易なものとすることができる。
【００３０】
なお、本発明は、上記実施の形態にのみ限定されるものではなく、代替ウェイト１５におけるウェイト本体２５は、左右の横板１３ａと１３ｂに設けてある左右のオプション装置取付プレート１４ａ，１４ｂと１４ｃ、１４ｄとの間に配置できるようにしてあれば、その形状は図示した以外のいかなる形状を採用してもよい。
【００３１】
下面プレート２６の左右の突出部１６は、その前端部と後端部が左右の横板１３ａ及び１３ｂ上に設けてある前後の各オプション装置取付プレート１４ａと１４ｂ及び１４ｃと１４ｄに当ることで、前後方向への変位を拘束できるようにしてあれば、前後方向の中間部を切り欠いた形状としてもよい。
【００３２】
下面プレート２６の下面に設ける係止片１７は、該係止片１７の左端部と右端部が左右の横板１３ａ，１３ｂの内側端部に当ることで、左右方向への変位を拘束できるようにしてあれば、前後方向の中間部を切り欠いた形状としたり、左右方向に連続する形状とするようにしてもよい。
【００３３】
ハネ止め部材を、前後方向の両端部をオプション装置取付プレート１４ａ，１４ｂ，１４ｃ，１４ｄにリンク固定用ピン２０を介して連結するようにしてあるハネ止めリンク１８として示したが、代替ウェイト１５の左右の突出部の上方にて前後方向に延びるよう配置した状態で、前後両端部をそれぞれオプション装置取付プレート１４ａ，１４ｂ，１４ｃ，１４ｄに連結できるようにしてあれば、いかなる連結手段を採用してもよい。
【００３４】
ピン脱落防止機構を、リンク固定用ピン２０の一端部の外周面に設けたキー溝２０ａに上方からピン固定用キープレート２７を嵌合させた状態にて、該ピン固定用キープレート２７を、ハネ止めリンク１８のフォーク部１８ａの側面にボルト２８を介して固定する構成として示したが、上記リンク固定用ピン２０をハネ止めリンクのピン孔１９とオプション装置取付プレート１４ａ，１４ｂ，１４ｃ，１４ｄのピン孔２４に挿通させた状態に保持することができれば、従来採用されているいかなる形式のピン脱落防止機構を採用してもよい。
【００３５】
移動式クレーンのオプション装置であれば、オプションウインチ以外のオプション装置の代替ウェイトの取り付けにも適用できる。更には、クローラクレーン以外のいかなる形式の移動式クレーン代替ウェイト１５の取り付けにも適用できること、その他本発明の要旨を逸脱しない範囲内で種々変更を加え得ることは勿論である。
【図面の簡単な説明】
【００３６】
【図１】本発明の移動式クレーンのオプション装置代替ウェイトの取付装置の実施の一形態を示す概略正面図である。
【図２】図１の装置の概略平面図である。
【図３】図１の装置の概略側面図である。
【図４】図１のＡ−Ａ方向矢視図である。
【図５】図１の装置におけるハネ止めリンクとオプション装置取付プレートとの連結部を拡大して示す正面図である。
【図６】従来提案されている移動式クレーンを示す概要図である。
【図７】移動式クレーンにおける補助ウインチの替わりに代替ウェイトを取り付けるために従来提案されている手法を示すもので、（イ）は補助ウインチ取付部に補助ウインチを取り付けた状態を、（ロ）は補助ウインチ取付部に代替ウェイトを取り付けた状態を示す概要図である。
【符号の説明】
【００３７】
１３ａ，１３ｂ  横板
１４ａ，１４ｂ，１４ｃ，１４ｄ  オプション装置取付プレート
１５  代替ウェイト
１６  突出部
１７  係止片
１８  ハネ止めリンク（ハネ止め部材）
１９  ピン孔
２０  リンク固定用ピン
２０ａ  キー溝（ピン脱落防止機構）
２４  ピン孔
２７  ピン固定用キープレート（ピン脱落防止機構）
２８  ボルト（ピン脱落防止機構）
【図１】
0005084447.tif 000002
【図２】
0005084447.tif 000003
【図３】
0005084447.tif 000004
【図４】
0005084447.tif 000005
【図５】
0005084447.tif 000006
【図６】
0005084447.tif 000007
【図７】
0005084447.tif 000008